(57)【要約】【課題】３Ｄ表示イメージによる訴求効果の低下による情報把握能の劣化を解消し、利用者の視覚に対する負荷を低減して、具象化した３Ｄ空間の情報表示イメージによる訴求効果を最大限に発揮させ、利用者の視覚に大きな負荷を与えることのない３次元画像と２Ｄ画像との連携表示のためのデータ処理方法およびその装置を提供する。【解決手段】３Ｄ仮想空間を運用する３Ｄ系（１）と既存の２Ｄ表示を運用する２Ｄ系（２）とを異次元系データ連携手段（３）で結合する。３Ｄ系（１）の表示画面の領域で視点を制御する視点制御手段（４）が視点を変化させることで（イベント発生）、異次元系データ連携手段（３）が当該イベントに対応したオブジェクトを３Ｄデータベース（５）から読み出しての更新し、当該イベントで定義される２次元データを２Ｄデータベース（６）から読み出して２Ｄ表示画像面に表示する（アクション）。【選択図】図７
2010262449.tif 000002
【特許請求の範囲】
【請求項１】
ｎ次元表示系の画面内で制御される特定点の位置変化に対応したデータをｍ次元表示系の画面に連携して表示するｎ次元画像とｍ次元画像との連携表示のためのデータ処理方法であって、
前記ｎ次元表示系の画面内での前記特定点の位置移動に応じて当該ｎ次元表示系の画面表示を当該特定点の移動位置に関連した画像に変更すると共に、前記ｎ次元表示系の画面表示の変更に連携して当該変更画面表示に関連したデータを前記ｍ次元表示系の画面に自動表示することを特徴とするｎ次元画像とｍ次元画像との連携表示のためのデータ処理方法。
【請求項２】
請求項１のデータ処理方法において、
前記ｎと前記ｍの関係が、ｎ＞ｍ、ｎ＝ｍ、ｎ＜ｍの何れかであることを特徴とするデータ処理方法。
【請求項３】
擬似３次元表示系の画面内で制御される視点の変化に対応したデータを２次元表示系の画面に連携して表示する３次元画像と２次元画像との連携表示のためのデータ処理方法であって、
前記３次元表示系の画面内での視点移動に応じて当該３次元表示系の画面表示の更新を行うと共に、前記３次元表示系の画面表示の更新に連携して当該画面表示に関連したデータを前記２次元表示系の画面に自動表示することを特徴とする３次元画像と２次元画像との連携表示のためのデータ処理方法。
【請求項４】
ｎ次元表示系の画面内で制御される特定点の移動に対応したデータをｍ次元表示系の画面に連携して表示するｎ次元画像とｍ次元画像との連携表示のためのデータ処理装置であって、
前記ｎ次元表示系の画面に表示するｎ次元表示データを格納するｎ次元データベースと、
前記ｍ次元表示系の画面に表示するｍ次元表示データを格納するｍ次元データベースと、
前記ｎ次元表示系の画面内に表示されるｍ次元画像に対する前記特定点の位置移動を制御する特定点の位置移動制御手段と、
前記ｎ次元表示系の画面に表示される画像を、前記特定点の位置移動制御手段で移動された特定点に対応するｎ次元画像で変更すると共に、該変更されたｎ次元画像に対応したｍ次元表示データを前記ｍ次元表示系の画面に表示する異次元系間データ連携手段を備えたことを特徴とするｎ次元画像とｍ次元画像との連携表示のためのデータ処理装置。
【請求項５】
請求項４のデータ処理装置において、
前記ｎと前記ｍの関係が、ｎ＞ｍ、ｎ＝ｍ、ｎ＜ｍの何れかであることを特徴とするデータ処理装置。
【請求項６】
擬似３次元表示系の画面内で制御される視点の変化に対応したデータを２次元表示系の画面に連携して表示する３次元画像と２次元画像との連携表示のためのデータ処理装置であって、
前記３次元表示系の画面に表示する３次元表示データを格納する３Ｄデータベースと、
前記２次元表示系の画面に表示する２次元表示データを格納する２Ｄデータベースと、
前記３次元表示系の画面内に表示される２次元画像に対する視点の移動を制御する視点制御手段と、
前記３次元表示系の画面に表示される画像を、前記視点制御手段で移動された視点に対応する３次元画像で更新すると共に、該更新された３次元画像に対応した２次元表示データを前記２次元表示系の画面に表示する異次元系間データ連携手段を備えたことを特徴とする３次元画像と２次元画像との連携表示のためのデータ処理装置。
【発明の詳細な説明】
【技術分野】
【０００１】
本発明は、ｎ次元表示される画像に関連するｍ次元画像を視覚的、かつ空間的に連携させて表示することにより、当該画像に係る情報を効果的に把握可能とした相互に関連するｎ次元画像とｍ次元画像との連携表示のためのデータ処理方法および装置に関する。
【背景技術】
【０００２】
パソコンを利用して所望のデータを獲得する現行のナビゲーションシステムでは、パソコン画面のポータルサイトからウエブページあるいはホームページを表示し、その画面に設けられているタームリストやアイコンなどから段階的に詳細な情報にたどり着くように操作するのが一般的である。
【０００３】
このようなナビゲーションシステムの利用分野は、インターネットを介して売り手と買い手を結びつける、所謂ネットビジネス（Electronic Commerce:ＥＣ）に限らず、行政、教育、娯楽、その他様々な分野において広く利用されている。ここでは、分かり易くするために、普及度が高く、一般に馴染みやすいＥＣにおける適用例を基にして説明する。本発明は、このようなＥＣ運用システムにおける次元の異なる画像（イメージとも称する）表示のためのデータ間の連携処理方法とその装置に好適なものであるが、上記の他の分野にも同様に適用できるものである。なお、以下での説明においては、本発明をｎ＝３（３次元）、ｍ＝２（２次元）として説明するが、ｎ＝ｍ、ｎ＞ｍ、ｎ＜ｍの多次元（典型例としては、３次元−２次元、２次元−３次元、３次元−３次元、２次元−２次元）間画像表示の連携表示への適用を排除するものでない。
【０００４】
ネットビジネス（ＥＣ）では、画面に表示したＥＣサイトのウエブページから、ＵＲＬ入カ、ポインティンデバイス、あるいはカーソルキーで所望の、あるいは任意のホームページを選択し、その画面内商品の一覧選択→アイテム選択→特定商品選択→商品詳細表示（コンテンツ表示）→・・・戻り、の繰り返し、のように、画面表示された表示オブジェクトのリンクを順次たどることで所望の最終オブジェクトとそのコンテンツを得る操作が行われる。
【０００５】
ＥＣ運用形態の一つに、パソコン画面に複合商業施設（ショッピングモール、ファッションタウン、ショッピングセンターなどと呼ばれる）の３Ｄ空間に表示される３次元画像（正しくは擬似３次元画像、以下３Ｄ画像とも称する）を表示し、入力された利用者の視野データに基づいて画面内のオブジェクトを変化させると共に、この変化を滑らかに表示し、変化したオブジェクトのコンテンツを３Ｄ画面内に表示するようにしたものが特許文献１に提案されている。
【先行技術文献】
【特許文献】
【０００６】
【特許文献１】特開２００３−１６７６５９号公報
【発明の概要】
【発明が解決しようとする課題】
【０００７】
前記の先行技術では、画面に表示された３Ｄ画像の画面内における利用者の視野データの変化に応じて変化して選択された当該３Ｄ画像内のオブジェクトが順次拡大表示されると共に、対応するコンテンツ（オブジェクトの詳細説明）を同じ３Ｄ表示内に２次元表示している。３Ｄ画像の画面内に２次元の表示を行うこのような表示形態では、３Ｄ画像を如何に魅力的に具象化して表示したとしても、当該３Ｄ表示画像面内で３Ｄオブジェクトの変化と共に２Ｄ表示部がオン／オフあるいは更新がなされるため、３Ｄ空間で表示される具象化された全体イメージによる訴求効果が低下し、情報把握能を劣化させてしまう。  また、このような表示形態では、操作者（以下、利用者、ユーザー）の視覚に大きな負荷をもたらす。
【０００８】
この種の情報提供手段における上記のような問題は、ＥＣの分野に限るものでなく、前記した行政、教育、娯楽、その他様々な分野に応用した場合でも同様に生じる。
【０００９】
また、先行技術では、２次元データで構築した既存のホームページのデータを３Ｄ空間に表示される画像情報に関連づけて３Ｄ−２Ｄ連携表示システムとすることは簡単にはできない。
【００１０】
本発明の目的は、３Ｄ表示イメージによる訴求効果の低下による情報把握能の劣化を解消し、利用者の視覚に対する負荷を低減して、具象化した３Ｄ空間の情報表示イメージによる訴求効果を最大限に発揮させ、利用者の視覚に大きな負荷を与えることのない３次元画像と２次元画像との連携表示のためのデータ処理方法およびその装置を提供することにある。また、本発明の他の目的は、２次元データで構築した既存のホームページのデータを容易に３Ｄ空間に表示される画像情報に関連づけて３Ｄ−２Ｄ連携表示システムとすることを可能とした３次元画像と２次元画像との連携表示のためのデータ処理方法および装置を提供することにある。
【課題を解決するための手段】
【００１１】
上記の目的を達成するため、本発明は、既存のインフラとコンテンツ資産をそのままで３Ｄナビゲーションに組み込み可能とした３Ｄナビゲーションプログラムを有する３Ｄウエブサーバを備えることを特徴とする。この３Ｄウエブ（ｗｅｂ）サーバには、３Ｄアフィリエートシステム、アバターなどのユーザーコミュニケーションシステム、バックアップサーバ等の追加サーバを接続することができる。
【発明の効果】
【００１２】
本発明によれば、視覚的、空間的にサイト内を把握することが可能なサイトナビゲーションシステムを構築することができる。また、３Ｄ空間を操作することでウエブブラウジングを実現でき、２Ｄページと３Ｄ空間を連動（それぞれの操作結果が相互に反映）させ、サイト内におけるコンテンツ間の遷移をシームレス化して３Ｄ空間で表示される具象化された全体イメージによる訴求効果を向上することができる。
【図面の簡単な説明】
【００１３】
【図１】ＥＣサイトのウエブページの一例を示すパソコン表示画面の模式図である。
【図２】図１で説明した２ＤデータによるＥＣサイトを３Ｄ仮想空間に連携させて同一画面に表示した表示画面の構成例を説明する図である。
【図３】図２に示した表示画面から所要の商品情報を取得するブラウジングの流れを説明する模式図である。
【図４】図３におけるトップページの詳細構成を説明する図である。
【図５】図３におけるカテゴリトップの詳細構成を説明する図である。
【図６】図３におけるショップ/ブランドトップの詳細構成を説明する図である。
【図７】本発明の実施例１に係る３次元画像と２次元画像との連携表示装置の構成図である。
【図８】本発明の実施例１に係る３次元画像と２次元画像との連携表示のためのデータ処理装置のシステム構成図である。
【図９】ウエブブラウザの３次元表示部分を操作しているときに、２次元表示部の画像がユーザーの視野に合わせて自動的に切り替わるための処理手順を示す流れ図である。
【図１０】ウエブブラウザの３次元表示領域内でのある時刻に自動的に２次元部分の画像が切り替わるためのデータ処理手順を示す流れ図である。
【図１１】ウエブブラウザの２次元部分を操作しているとき、表示した内容に合わせて自動的に３次元部分の視野が切り替わるためのデータ処理手順を示す流れ図である。
【図１２】本発明の実施例１に係る３Ｄ−２Ｄ連携表示データ処理装置のシステムにおけるデータベースの構成例の説明図である。
【図１３】本発明の実施例１に係る３Ｄ−２Ｄ連携表示データ処理装置のシステムにおける管理ページの階層構造の説明図である。
【図１４】本発明の実施例１に係る３Ｄ−２Ｄ連携表示データ処理装置のシステムにおける視点の状態遷移を説明する図である。
【図１５】本発明の実施例１に係る３Ｄ−２Ｄ連携表示データ処理装置のシステムにおけるオブジェクトの状態遷移を説明する図である。
【図１６】本発明の実施例１に係る３Ｄ−２Ｄ連携表示データ処理装置のシステムにおける視点変更に伴う画面構成の変更を説明する図である。
【図１７】本発明の実施例１に係る３Ｄ−２Ｄ連携表示データ処理装置のシステムにおける３Ｄ表示情報と２Ｄ表示情報の連携のためのテーブル構成を説明する図である。
【発明を実施するための形態】
【００１４】
以下、本発明の実施の形態を図面を参照した実施例により詳細に説明する。以下では本発明をＥＣに適用した例で説明する。
【実施例１】
【００１５】
図１は、ＥＣサイトのウエブページの一例を示すパソコン表示画面の模式図である。図１（ａ）は２ＤデータによるＥＣサイト例の表示画面、図１（ｂ）は画面に追加する３Ｄ仮想空間（ウエブブラウザ組込み又は専用ビューワー）の表示画面（領域）を示す。図１（ａ）の２ＤデータによるＥＣサイトの表示画面に、図１（ｂ）の３Ｄ仮想空間を画面に追加する。
【００１６】
この結果、視覚的・空間的にサイト全体を把握でき、利用者の記憶に定着し易く、より身体的な感覚に基づいたＥＣサイトとなる。インターネットの利便性はそのままに、３Ｄ空間を活用し、サイトナビゲーションにより、ユーザビリティの高いＥＣサイトが構築される。３Ｄオブジェクト・動画・音声等のリッチコンテンツや、インタラクティブなコンテンツを３Ｄ空間内で統合的に配信し、より魅力的で斬新なＥＣサイトが構築できる。サイトの個性（ブランドイメージ等）を具象化した３Ｄ空間により、ブランドイメージの訴求効果の高いＥＣサイトが構築できる。新たなショッピング体験の提供、購買意欲の刺激／差別化、潜在顧客の掘り起こし、優良顧客の拡大・囲い込みが可能となる。
【００１７】
図２は、図１で説明した２ＤデータによるＥＣサイトを３Ｄ仮想空間に連携させて同一画面に表示した表示画面の構成例を説明する図である。図２に示した表示画面は、ヘッダー２０、３Ｄ表示画面２２、３Ｄ操作メニュー２３、２Ｄ表示画面２４で構成されている。この画面は、本発明をファッション系ＥＣサイトに適用した例である。
【００１８】
ヘッダー２０は、ロゴ／グローバルナビゲーション、ログインメニュー／アカウント管理、マイカート機能を分担する。３Ｄ表示画面２２は、３Ｄ空間の表示領域であり、３Ｄオブジェクト／動画等の表示、クリック操作による移動（２Ｄと連動、自動カメラコントロール、シームレスに空間内を移動）、自動ガイドツアー、各種検索結果による表示切替、各種エフェクト効果、フローティングテキストによる各種説明表示（表示切替／ロールオーバー表示）の機能を有する。３Ｄ操作メニュー２３には、視点コントロール（ズーム・回転・パン）、検索ボックス、戻る／進むボタン、画面サイズ切替、その他各種操作ボタンが配置される。２Ｄ表示画面２４は、２Ｄコンテンツ表示、商品詳細情報の表示（テキスト本文／画像等、関連商品情報／レコメンド表示）、購入ボタン／決済画面、バナーなどが配置される。
【００１９】
このような画面構成としたことにより、３Ｄ空間による視認性の高さや偶発性と、２Ｄインターネットの利便性を兼ね備えたウエブブラウジングが実現される。
【００２０】
図３は、図２に示した表示画面から所要の商品情報を取得するブラウジングの流れを説明する模式図である。図３（ａ）はこのサイトの３Ｄ表示画面部にファッションタウンの全景を表示し、２Ｄ表示画面部にはこのサイトで取り扱われている商品の概要説明が表示されている。利用者は図３（ａ）の３Ｄ表示画面部の特定領域（ストリート／街区／フロア）にマウスあるいはカーソルキーでカーソルを合わせる（視点入力）することで、図３（ｂ）に示したカテゴリトップとして表記された特定のストリート又は街区或いはフロアの３Ｄ画面が表示される。これと同時に、２Ｄ表示画面部には当該カテゴリトップの取扱い商品の説明が２Ｄ表示される。
【００２１】
このカテゴリトップの３Ｄ画面の中で所定のショップ／或いはブースにマウスあるいはカーソルキーで視点入力すると、図３（ｃ）のショップ／ブランドトップに示したような当該ショップ或いはブースの内部空間が３Ｄ表示される。同時に、そのショップ或いはブースが取り扱う具体的な商品が２Ｄ表示画面部に２Ｄ表示される。利用者が２Ｄ表示画面部に表示された特定商品の詳細情報を希望する場合には、２Ｄ表示画面部内で当該商品のイメージアイコンあるいは説明文をクリックする。それによって、その商品の詳細情報を表示する商品詳細ページが開く。この商品詳細ページは、２Ｄ表示画面部内、３Ｄ表示画面部内、或いは両画面に跨った表示、若しくは全画面表示の何れでもよい。
【００２２】
このようなブラウジングの構成により、サイト全体が一つの空間となったシームレスなウエブブラウジングが体験できる。また、現実のショッピングに近い感覚と、インターネットの利便性を兼ね備えた新たなショッピング体験できる。さらに、リッチコンテンツ等、商品の提供スタイルまで含めたトータルなブランドイメージの体験が可能となる。
【００２３】
図４は、図３におけるトップページの詳細構成を説明する図である。このトップページは、３Ｄ空間全体を俯瞰してサイト全体のブランドイメージの認知を高め、取り扱い商品に応じたスタイリッシュな表現等、サイト全体の総合的な情報を３Ｄ画面上に重ね合わせて表現する。サイト全体を俯瞰した表現によりコンテンツを偶発的に認知する機会を提供する。
【００２４】
画面のヘッダーには、会員ログイン／マイカート機能、商品ジャンル等のグローバルナビゲーションメニューが表示されている。３Ｄ表示画面には、カテゴリーやジャンルをエリアとして表現している。ショップやブランドを建物やブースとして表現、特集バナー等を３Ｄコンテンツで表現する。
【００２５】
例えば、ブランド検索（該当ブランドを扱うエリア／建物がハイライト表示、同時に２Ｄ画面上で該当コンテンツへのリンク表示、該当エリアや建物をクリックすると自動的にカメラ移動、２Ｄ画面上に該当コンテンツで表示）、キャンペーン情報の表示（キャンペーンバナーを建物やエリア上にポップアップ表示、特集一覧の表示ボタンで表示のＯＮ−ＯＦＦ切り替え）、新着情報／おすすめ情報の表示（３Ｄ建物上に新着商品数をポップアップテキスト表示、２Ｄ画面上に商品画像等を表示）。
【００２６】
図５は、図３におけるカテゴリトップの詳細構成を説明する図である。このカテゴリトップには、取扱い商品ジャンルによりエリア分けされた街区やストリート、該当ジャンルを具象化して表した街並（渋谷系／原宿系、等）が表示される。また、近景／中景においてコンテンツを偶発的に認知する機会を提供し、季節感の表現による商品購買欲の刺激（クリスマス：雪  春：桜並木、等）を表示する。
【００２７】
このカテゴリトップの３Ｄ表示画像面には、該当のカテゴリ内のショップやブランドを中景／近景で表現する（例、通りに面して該当ショップが建ち並ぶストリート、ビルにおけるフロア毎の表現など）。各ショップのブランドイメージを建物デザインや看板等で表現する（現実のショップに近い個性の表現が可能）。例えば、ピックアップ商品を提示したウィンドウショッピング、ピックアップ商品を建物の前面に表示（ＰＯＰ画像／動画等）、目的商品への移動中に偶発的に認知可能となっている。さらに、このカテゴリトップには、取扱い商品数の視覚的な表現、取扱い商品数により建物の規模（大きさ等）を決定した場合に感覚的に商品数を把握可能に表示される。なお、２Ｄ画面表示には、例えばショップ一覧表示のクリックからも３Ｄ画面上で自動的に移動するようになっている。
【００２８】
図６は、図３におけるショップ／ブランドトップの詳細構成を説明する図である。このショップ／ブランドトップには、建物や内装にてブランドイメージを訴求し、特集キャンペーンやおすすめ商品やランキング等を視覚的に表現し、現実の商品レイアウトに近い商品展示（３Ｄオブジェクトや商品画像の配置）が表示される。３Ｄ表示画像面には、ブランドイメージを訴求する内装外装のトータルコーディネイト、家具や小物等による装飾、商品画像や商品オブジェクトのレイアウト（並び順／サイズ）、ライティングやＰＯＰによる商品の強調、ＰＯＰや動画によるキャンペーン情報等の掲示がなされる。また、２Ｄ表示画像面には、商品一覧画像が表示され、その詳細情報、画像、購入ボタン、関連商品へのリンクが表示される。
【００２９】
図７は、本発明の実施例１に係る３次元画像と２次元画像との連携表示装置の構成図である。ここではｎ＝３、ｍ＝２とし、画面内の特定点の位置移動をユーザの視点移動として説明する。前記した３Ｄ仮想空間を運用する３Ｄ系１と既存の２Ｄ表示を運用する２Ｄ系２とを異次元系間データ連携手段３で結合する。例えば、３Ｄ系１の表示画面の領域で視点を制御する視点制御手段（特定点の位置移動手段）４が視点を変化させることで（イベント発生）、異次元系間データ連携手段３が当該イベントに対応したオブジェクトを３Ｄデータベース５から読み出しての変更すなわち更新し、当該イベントで定義される２次元データを２Ｄデータベース６から読み出して２Ｄ表示画像面に表示する（アクション）。なお、２Ｄ系２の表示をクリックすることで、３Ｄ表示を更新することも可能である。
【００３０】
３次元画像と２次元画像との連携表示のためのデータ処理装置は、３次元表示系の画面に表示する３次元表示データを格納する３Ｄデータベースと、２次元表示系の画面に表示する２次元表示データを格納する２Ｄデータベースと、３次元表示系の画面内に表示される２次元画像に対する視点の移動を制御する視点制御手段と、３次元表示系の画面に表示される画像を、前記視点制御手段で移動された視点に対応する３次元画像で更新すると共に、該更新された３次元画像に対応した２次元表示データを前記２次元表示系の画面に表示する異次元系間データ連携手段を備える。
【００３１】
この３次元画像と２次元画像との連携表示のためのデータ処理方法では、３次元表示系の画面内での視点移動に応じて当該３次元表示系の画面表示の更新を行うと共に、３次元表示系の画面表示の更新に連携して当該画面表示に関連したデータを２次元表示系の画面に自動表示する。
【００３２】
図８は、本発明の実施例１に係る３次元画像と２次元画像との連携表示のためのデータ処理装置のシステム構成図である。このシステムは、既存インフラとコンテンツ資産をそのままに３Ｄ−ＥＣナビに組み込むことができる。また、３Ｄウエブサーバに各種機能のアド・オンが可能で、汎用性の高い３Ｄウエブ基盤の構築が可能である。
【００３３】
図８において、ウエブブラウザ７２には３Ｄビューワ７２１が組み込まれている。利用者（ユーザ）７０はインターネット７１を介してウエブブラウザ７２にアクセスする。このウエブブラウザ７２にはクライアントに（無料）配布される専用の「３Ｄ−ＥＣナビクライアント」７３によって２Ｄ表示データの画面が組み込まれている。
【００３４】
ウエブブラウザ７２は既存ウエブサイト７４のシステム／コンテンツと接続される。既存ウエブサイト７４のシステム／コンテンツはウエブサーバ７４１、データベースサーバ７４２を有する。ウエブブラウザ７２の３Ｄビューワ７２１は３Ｄウエブサーバ７５を介して既存ウエブサイト７４のウエブサーバ７４１に連携的に接続している。なお、このシステムには、追加サーバとしてバックアップサーバ７６、ユーザーコミュニケーションシステム（例えば、アバター導入システム）７７、３Ｄアフィリエイトシステム７８、などが接続可能である。
【００３５】
次に、図８に示した本発明の実施例１に係る３Ｄ−２Ｄ連携表示データ処理装置のシステムにおけるデータ処理の手順を説明する。
【００３６】
図９は、ウエブブラウザの３次元表示部分を操作しているときに、２次元表示部の画像がユーザーの視野に合わせて自動的に切り替わるためのデータ処理手順を示す流れ図である。先ず、３次元表示領域での入力待ちループ（Ｓ−１）でユーザー入力（視点入力）があると、現表示画面からユーザーの入力に合わせて視点を変更した画面に再描画する（Ｓ−２）。再描画後、視点変更を、「イベント」として制御システムに通知する（Ｓ−３）。この後の（Ｓ−４）〜（Ｓ−７）の処理が本発明を特徴づける。
【００３７】
通知された「イベント」が登録済みのものか？（花柄Ｔシャツオブジェクトが視野にはいったというイベントか？）を判断する（Ｓ−４）。そうであれば、この「イベント」に対応する「アクション」が登録されているか、データベースに問い合わせ（Ｓ−５）、通知された「イベント」に対応する「アクション」がある場合には（Ｓ−６）、アクションを実行する（２次元部分の画面を「花柄Ｔシャツの詳細情報」に変更するプログラムを呼び出す）（Ｓ−７）。
【００３８】
ウエブブラウザ（２次元部分）は２次元部分の画面内容を変更（ブラウザ内で、２次元部分を「花柄Tシャツの詳細情報」に変更）し（Ｓ−８）、待ち状態への復帰する（Ｓ−９）。
【００３９】
図１０は、ウエブブラウザの３次元表示領域内でのある時刻に自動的に２次元部分の画像が切り替わるためのデータ処理手順を示す流れ図である。図１０において、３次元空間にて流れる時刻の変化があり（Ｓ−１１）、この時刻の変更を「イベント」としてシステムの制御手段に通知する（Ｓ−１２）。この後の（Ｓ−１３）〜（Ｓ−１６）の処理が本発明を特徴づける。制御システムが時刻の変更を「イベント」として通知されると、通知された「イベント」が登録済みのものか（例えば、１８時になったというイベントか？）を判断し（Ｓ−１３）、そうであれば、この「イベント」に対応する「アクション」が登録されているかをデータベースに問い合わせる（Ｓ−１４）。
【００４０】
通知された「イベント」に対応する「アクション」があるかを判断し（Ｓ−１５）、対応する「アクション」があればアクションの実行（例えば、２次元部分の背景を「夜（黒い色）」に変更するプログラムを呼び出す）して（Ｓ−１６）、２次元部分の画面内容を変更（ブラウザ内で、２次元部分の背景を「夜（黒い色）」に変更）し（Ｓ−１７）、待ち状態へ復帰する（Ｓ−１８）。
【００４１】
図１１は、ウエブブラウザの２次元部分を操作しているとき、表示した内容に合わせて自動的に３次元部分の視野が切り替わるためのデータ処理手順を示す流れ図である。図１１において、（ブラウザでの入力待ちループ）ユーザーからの入力があるかを判断し、ユーザーからの入力があると（Ｓ−２１）、そのユーザーの入力に合わせて特定の商品の詳細表示を表す画面に再描画する（Ｓ−２２）。その後、表示変更を、「イベント」として制御システムに通知する（Ｓ−２３）。この後の（Ｓ−２４）〜（Ｓ−２７）の処理が本発明を特徴づける。
【００４２】
システムは、通知された「イベント」が登録済みのものか（例えば、花柄Ｔシャツの情報が表示されたというイベントか？否か）を判断する（Ｓ−２４）。そして、この「イベント」に対応する「アクション」が登録されているか、データベースに問い合わせし（Ｓ−２５）、通知された「イベント」に対応する「アクション」があるかを見て（Ｓ−２６）、ある場合にはそのアクションの実行（３次元部分で、「花柄Ｔシャツオブジェクトを視野にいれる」プログラムを呼び出す）（Ｓ−２７）。その後、２次元表示処理に戻る。
【００４３】
２次元表示処理では、３次元部分の画面内容を変更（アクション内のメッセージ、パラメータで指定された視野で「花柄Ｔシャツオブジェクトを視野にいれる」処理をして再描画）し（Ｓ−２８）、待ち状態へ復帰する（Ｓ−２９）。
【００４４】
図１２は、本発明の実施例１に係る３Ｄ−２Ｄ連携表示データ処理装置のシステムにおけるデータベースの構成例の説明図である。このデータベースは次のように構成されている。［ＳｕｂＳｉｔｅ （ＳｕｂＳｉｔｅＩＤ（ＫＥＹ） ＳｕｂＳｉｔｅ （ＵＲＬ） Ｄｅｓｃｒｉｐｔｉｏｎ ＳｉｔｅＩＤ）］、［ＯｂｊｅｃｔＴｙｐｅ （ＯｂｊｅｃｔＴｙｐｅＩＤ（ＫＥＹ） ＯｂｊｅｃｔＴｙｐｅＮａｍｅ Ｄｅｓｃｒｉｐｔｉｏｎ）］、［ＥｖｅｎｔＴｙｐｅ （ＥｖｅｎｔＴｙｐｅＩＤ（ＫＥＹ） ＥｖｅｎｔＴｙｐｅＮａｍｅ Ｄｅｓｃｒｉｐｔｉｏｎ）］、［ＭｅｓｓａｇｅＴｙｐｅ （ＭｅｓｓａｇｅＴｙｐｅＩＤ（ＫＥＹ） ＭｅｓｓａｇｅＴｙｐｅＮａｍｅ Ｄｅｓｃｒｉｐｔｉｏｎ）］、［ＰａｒａｍＴｙｐｅ ＰａｒａｍＴｙｐｅＩＤ（ＫＥＹ） ＰａｒａｍＴｙｐｅＮａｍｅ Ｄｅｓｃｒｉｐｔｉｏｎ］］、［Ｏｂｊｅｃｔ ＯｂｊｅｃｔＩＤ（ＫＥＹ） ＯｂｊｅｃｔＴｙｐｅＩＤ ＳｕｂＳｉｔｅＩＤ ＳｅｒｖｉｃｅＦｉｌｔｅｒ］］、［ＯｂｊｅｃｔＥｖｅｎｔ ＯｂｊｅｃｔＥｖｅｎｔＩＤ（ＫＥＹ） ＯｂｊｅｃｔＩＤ ＥｖｅｎｔＴｙｐｅＩＤ Ｄｅｓｃｒｉｐｔｉｏｎ］］、［Ｍｅｓｓａｇｅ ＭｅｓｓａｇｅＩＤ（ＫＥＹ） ＭｅｓｓａｇｅＴｙｐｅＩＤ Ｄｅｓｃｒｉｐｔｉｏｎ］］、［Ｐａｒａｍ ＰａｒａｍＩＤ（ＫＥＹ） ＰａｒａｍＴｙｐｅＩＤ ＰａｒａｍＮａｍｅ Ｐａｒａｍ ＭｅｓｓａｇｅＩＤ］］、［ＡｃｔｉｏｎＴｙｐｅ ＡｃｔｉｏｎＴｙｐｅＩＤ（ＫＥＹ） ＡｃｔｉｏｎＴｙｐｅＮａｍｅ Ｄｅｓｃｒｉｐｔｉｏｎ］］、［Ａｃｔｉｏｎ ＡｃｔｉｏｎＩＤ（ＫＥＹ） ＡｃｔｉｏｎＮａｍｅ ＡｃｔｉｏｎＴｙｐｅ ＵＲＬ Ｄｅｓｃｒｉｐｔｉｏｎ ＳｅｒｖｉｃｅＦｉｌｔｅｒ］］、［ＥｖｅｎｔＡｃｔｉｏｎ ＥｖｅｎｔＡｃｔｉｏｎＩＤ（ＫＥＹ） ＯｂｊｅｃｔＥｖｅｎｔＩＤ ＡｃｔｉｏｎＩＤ Ｄｅｓｃｒｉｐｔｉｏｎ ＳｅｒｖｉｃｅＦｉｌｔｅｒ］］、［ＥｖｅｎｔＬｏｇ ＥｖｅｎｔＬｏｇＩＤ（ＫＥＹ） ＤａｔｅＴｉｍｅ ＥｖｅｎｔＡｃｔｉｏｎＩＤ ＭｅｓｓａｇｅＩＤ ＳｅｒｖｉｃｅＦｉｌｔｅｒ］］。
【００４５】
図１３は、本発明の実施例１に係る３Ｄ−２Ｄ連携表示データ処理装置のシステムにおける管理ページの階層構造の説明図である。管理ページは、管理者ログインからサイト選択が行われ、その後にサイト名設定、タグ取得、各空間情報系の設定、空間情報のリンク、ログ＆集計閲覧を実行するように構成される。
【００４６】
図１４は、本発明の実施例１に係る３Ｄ−２Ｄ連携表示データ処理装置のシステムにおける視点の状態遷移を説明する図である。視点の状態は、Ａ画面（３Ｄ画面など）内での視点移動操作に応じて視点情報に対応するＢ画面（２Ｄ画面など）の表示を変更させる。
【００４７】
図１５は、本発明の実施例１に係る３Ｄ−２Ｄ連携表示データ処理装置のシステムにおけるオブジェクトの状態遷移を説明する図である。オブジェクトの遷移は、Ａ画面内での視点移動操作に応じてシステムに視点移動情報を送信し、視点情報に画面Ｂの遷移をデータベースに照合し、画面Ｂに表示変更を要求すると共に、画面Ａの表示変更（更新）を行う。
【００４８】
図１６は、本発明の実施例１に係る３Ｄ−２Ｄ連携表示データ処理装置のシステムにおける視点変更に伴う画面構成の変更を説明する図である。画面Ａは一つ、若しくは複数の座標軸で表現され、ポインティングデバイスやカーソルキーなどの入力装置によって座標軸に沿った表示遷移が可能な画面である。画面Ｂは様々な情報が表示される領域であり、画面Ｃ、Ｄ、・・・と複数あってもかまわない。また、主画面内の位置関係も問わない。
【００４９】
図１６（ａ）に示された状態で画面Ａにおける視点が手前に表示されているオブジェクト「Ａ」にあるとすると、画面Ｂにはオブジェクト「Ａ」の説明が最上位に表示される。この状態から、視点をオブジェクト「Ｂ」に移動した場合、その視点の移動情報（位置、方向）に連動し、図１６（ｂ）に示されたように画面Ａにおけるオブジェクトは「Ｂ」が手前に来るように画面Ｂの表示が変化する（日が更新される）。これに伴って、画面Ｂにはオブジェクト「Ｂ」の説明が最上位に表示される。  
【００５０】
図１７は、本発明の実施例１に係る３Ｄ−２Ｄ連携表示データ処理装置のシステムにおける３Ｄ表示情報と２Ｄ表示情報の連携のためのテーブル構成を説明する図である。この各テーブルに登録することで、３Ｄ画面内の視点移動に連動した３Ｄ画面と２Ｄ画面の連携表示が可能となる。
【産業上の利用可能性】
【００５１】
本発明は、３Ｄ−２Ｄ間連携表示データに限らず、３Ｄ−３Ｄ間、２Ｄ−３Ｄ間、２Ｄ−２Ｄ間、その他の他次元かつ異次元系間での連携表示データ処理にも適用可能である。また、上記したＥＣ分野に限るものではなく、行政機関の電子化、学校等の教育機関、娯楽、その他様々な分野に適用できる。
【符号の説明】
【００５２】
１  ３Ｄ系
２  ２Ｄ系
３  異次元系間データ連携手段
４  視点制御手段（特定点の位置移動制御手段）
５  ３Ｄデータベース（ｎ次元データベース）
６  ２Ｄデータベース（ｍ次元データベース）
２１  ヘッダー
２２  ３Ｄ表示画像面
２３  ３Ｄ操作メニュー
２４  ２Ｄ表示画像面
【図１】
2010262449.tif 000003
【図２】
2010262449.tif 000004
【図３】
2010262449.tif 000005
【図４】
2010262449.tif 000006
【図５】
2010262449.tif 000007
【図６】
2010262449.tif 000008
【図７】
2010262449.tif 000009
【図８】
2010262449.tif 000010
【図９】
2010262449.tif 000011
【図１０】
2010262449.tif 000012
【図１１】
2010262449.tif 000013
【図１２】
2010262449.tif 000014
【図１３】
2010262449.tif 000015
【図１４】
2010262449.tif 000016
【図１５】
2010262449.tif 000017
【図１６】
2010262449.tif 000018
【図１７】
2010262449.tif 000019